(57)【要約】【課題】本発明は手持ち不要のミニ扇風機を開示した。【解決手段】主板本体を含み、傘持ち手挟みブロックを前に推し、傘の中棒をゴムリングから中棒置き区の中に推して入らせ、傘持ち手を中心溝の中に置き、傘持ち手挟みブロックを放した後、第二ばねの作用の下で傘持ち手挟みブロックと第二挟みブロックが傘持ち手を挟み、ミニ扇風機を扇風機取り付けブロックの中に取り付けることができ、手で持たないで使用することができ、それと同時に傘持ち手挟み部品を利用して傘を挟むことができ、手で持つ必要もなく傘をさすことができ、両者の協力により外出に便利を与え、移動電源がミニ扇風機の稼働時間を増加できる。【選択図】図１
2020180612.tif 000002
【特許請求の範囲】
【請求項１】
主板本体を含み、前記主板本体の底部には肩ベルトに挟める二つの挟み部品が設置され、前記主板本体の底部端面にはミニ扇風機を挟む扇風機挟み部品が設置され、前記主板本体の頂部端面には前記ミニ扇風機に電力を提供できる給電部品が設置され、前記主板本体の頂部端面には二つの固定ベースが設置され、前記固定ベースの中には上方に開口した固定溝が設置され、前記固定溝のところに支持フレームを嵌めるように装着することができ、前記支持フレームがボルトにより前記固定ベースと固定的に連結され、前記支持フレームには連結棒が固定的に連結され、前記連結棒には傘の持ち手を挟んで調節されることができる傘持ち手挟み部品が設置されることを特徴とする手持ち不要のミニ扇風機。
【請求項２】
前記挟み部品は前記主板本体の中に位置しているスライド溝を含み、前記スライド溝の底壁には下方に開口した連通溝が設置され、前記スライド溝の中にはスライドブロックがスライドできるように装着され、前記スライドブロックの底部端面にはスライドロッドが設置され、前記スライドロッドの底部端面には第一挟みブロックが固定的に装着され、前記第一挟みブロックの中には下方に開口した第一挟み溝が設置され、前記第一挟み溝の左右壁の間には第一ガイドロッドが固定的に装着され、前記第一挟み溝の中には二つの挟み爪がスライドできるように装着され、前記挟み爪と前記第一ガイドロッドとがスライドできるように装着され、前記挟み爪と前記第一挟み溝の内壁との間には第一ばねが設置され、肩ベルトの間隔により前記第一挟みブロックをスライドさせ、二つの前記第一挟みブロックの間の距離を調節し、前記挟み爪を引き離して肩ベルトを前記挟み爪の間に引っ掛からせ、前記主板本体を放した後に前記挟み部品により肩ベルトに固定的に装着することを特徴とする請求項１に記載の手持ち不要のミニ扇風機。
【請求項３】
前記傘持ち手挟み部品は前記連結棒の後側端面に位置している第二挟みブロックを含み、前記第二挟みブロックの中には上方に開口した第二挟み溝が設置され、前記第二挟み溝の後端には中棒置き区が設置され、前記中棒置き区の内壁にはゴムリングが設置され、前記第二挟み溝の前後壁の間には対称である第二ガイドロッドが設置され、前記第二ガイドロッドの間には傘持ち手挟みブロックがスライドできるように装着され、前記傘持ち手挟みブロックの後側端面には中心溝が設置され、前記傘持ち手挟みブロックと前記第二挟み溝の前側壁との間には第二ばねが設置され、前記ボルトにより前記支持フレームを装着し又は取り外し、傘を装着する時、前記傘持ち手挟みブロックを前に推し、傘の中棒を前記ゴムリングから前記中棒置き区の中に推して入らせ、前記傘持ち手を前記中心溝の中に置き、前記傘持ち手挟みブロックを放した後、前記第二ばねの作用の下で前記傘持ち手挟みブロックと前記第二挟みブロックが前記傘持ち手を挟むことを特徴とする請求項１に記載の手持ち不要のミニ扇風機。
【請求項４】
前記扇風機挟み部品は前記主板本体の底部端面に位置している調節ロッドを含み、前記調節ロッドの端部には扇風機取り付けブロックが固定的に連結され、前記扇風機取り付けブロックの中には扇風機取り付け穴が設置され、前記ミニ扇風機が前記扇風機取り付け穴の中にネジ山により装着されることができ、前記扇風機取り付け穴の端壁にはプラグが設置され、前記プラグと前記ミニ扇風機とが通電できるように協働されることができ、前記ミニ扇風機を前記扇風機取り付け穴の中に装着し、前記ミニ扇風機に電力を提供し、前記ミニ扇風機を取り出して手で持つことができ、前記ミニ扇風機に内蔵された電源を使用し、前記調節ロッドを曲げることができることを特徴とする請求項１に記載の手持ち不要のミニ扇風機。
【請求項５】
前記給電部品は前記主板本体の頂部端面に固定的に装着されている四つの固定爪を含み、前記固定爪の間には移動電源が引っ掛かっており、前記主板本体の頂部端面にはＵＳＢ接続ヘッドが設置され、前記ＵＳＢ接続ヘッドが前記移動電源と連結された後に前記プラグに給電でき、前記移動電源もスマホに給電することができ、前記移動電源を前記固定爪の間に置き、前記移動電源が前記ミニ扇風機に給電することを特徴とする請求項１に記載の手持ち不要のミニ扇風機。
【発明の詳細な説明】
【技術分野】
【０００１】
本発明は手持ちミニ扇風機分野に関わり、具体的には手持ち不要のミニ扇風機である。
【背景技術】
【０００２】
夏の時に、数多くの人は手持ちミニ扇風機を持って外出し、手持ちミニ扇風機は使用しやすいが、長い時間手で握ると手が凝り、物を持ち上げる時にまず扇風機を適合な場所に置く必要があり、それで不便であり、また日傘も夏に外出する時の重要な避暑用品であり、両者を同時に持って出かけると他の物を持てなくなる。
【先行技術文献】
【特許文献】
【０００３】
【特許文献１】中国特許出願公開第１０８５９１０９６号明細書
【発明の概要】
【発明が解決しようとする課題】
【０００４】
本発明は手持ち不要のミニ扇風機を提供し、従来技術にある上記欠点を解消することを目的とする。
【課題を解決するための手段】
【０００５】
本発明の実施例の手持ち不要のミニ扇風機は、主板本体を含み、前記主板本体の底部には肩ベルトに挟める二つの挟み部品が設置され、前記主板本体の底部端面にはミニ扇風機を挟む扇風機挟み部品が設置され、前記主板本体の頂部端面には前記ミニ扇風機に電力を提供できる給電部品が設置され、前記主板本体の頂部端面には二つの固定ベースが設置され、前記固定ベースの中には上方に開口した固定溝が設置され、前記固定溝のところに支持フレームを嵌めるように装着することができ、前記支持フレームがボルトにより前記固定ベースと固定的に連結され、前記支持フレームには連結棒が固定的に連結され、前記連結棒には傘の持ち手を挟んで調節されることができる傘持ち手挟み部品が設置される。
【０００６】
さらなる技術プランには、前記挟み部品は前記主板本体の中に位置しているスライド溝を含み、前記スライド溝の底壁には下方に開口した連通溝が設置され、前記スライド溝の中にはスライドブロックがスライドできるように装着され、前記スライドブロックの底部端面にはスライドロッドが設置され、前記スライドロッドの底部端面には第一挟みブロックが固定的に装着され、前記第一挟みブロックの中には下方に開口した第一挟み溝が設置され、前記第一挟み溝の左右壁の間には第一ガイドロッドが固定的に装着され、前記第一挟み溝の中には二つの挟み爪がスライドできるように装着され、前記挟み爪と前記第一ガイドロッドとがスライドできるように装着され、前記挟み爪と前記第一挟み溝の内壁との間には第一ばねが設置されている。
【０００７】
さらなる技術プランには、前記傘持ち手挟み部品は前記連結棒の後側端面に位置している第二挟みブロックを含み、前記第二挟みブロックの中には上方に開口した第二挟み溝が設置され、前記第二挟み溝の後端には中棒置き区が設置され、前記中棒置き区の内壁にはゴムリングが設置され、前記第二挟み溝の前後壁の間には対称である第二ガイドロッドが設置され、前記第二ガイドロッドの間には傘持ち手挟みブロックがスライドできるように装着され、前記傘持ち手挟みブロックの後側端面には中心溝が設置され、前記傘持ち手挟みブロックと前記第二挟み溝の前側壁との間には第二ばねが設置されている。
【０００８】
さらなる技術プランには、前記扇風機挟み部品は前記主板本体の底部端面に位置している調節ロッドを含み、前記調節ロッドの端部には扇風機取り付けブロックが固定的に連結され、前記扇風機取り付けブロックの中には扇風機取り付け穴が設置され、前記ミニ扇風機が前記扇風機取り付け穴の中にネジ山により装着されることができ、前記扇風機取り付け穴の端壁にはプラグが設置され、前記プラグと前記ミニ扇風機とが通電できるように協働されることができる。
【０００９】
さらなる技術プランには、前記給電部品は前記主板本体の頂部端面に固定的に装着されている四つの固定爪を含み、前記固定爪の間には移動電源が引っ掛かっており、前記主板本体の頂部端面にはＵＳＢ接続ヘッドが設置され、前記ＵＳＢ接続ヘッドが前記移動電源と連結された後に前記プラグに給電でき、前記移動電源もスマホに給電することができる。
【発明の効果】
【００１０】
本発明の有益な効果は：本発明は構成が簡単で、操作が便利であり、ミニ扇風機を扇風機取り付けブロックの中に取り付けることができ、手で持たないで使用することができ、それと同時に傘持ち手挟み部品を利用して傘を挟むことができ、手で持つ必要もなく傘をさすことができ、両者の協力により外出に便利を与え、移動電源がミニ扇風機の稼働時間を増加でき、普及する価値がある。
【図面の簡単な説明】
【００１１】
【図１】図１は本発明全体の構成概略図
【図２】図２は支持フレームのＡ方向の構成概略図
【図３】図３は図１の中のＢのところの拡大概略図
【図４】図４は扇風機取り付けブロックの構成概略図
【図５】図５は図２の中のＣ方向の平面図
【発明を実施するための形態】
【００１２】
次に図１〜５を合わせて本発明を詳しく説明し、意思の疎通にもっと便利なため、後文に出る方位を以下の通りに規定する：下記の上下左右前後の方向は図１自体の投影関係の上下左右前後の方向と一致している。
【００１３】
図１〜５を参照し、本発明の実施例の手持ち不要のミニ扇風機は、主板本体１０を含み、前記主板本体１０の底部には肩ベルトに挟める二つの挟み部品９０１が設置され、前記主板本体１０の底部端面にはミニ扇風機４３を挟む扇風機挟み部品９０２が設置され、前記主板本体１０の頂部端面には前記ミニ扇風機４３に電力を提供できる給電部品９０３が設置され、前記主板本体１０の頂部端面には二つの固定ベース１４が設置され、前記固定ベース１４の中には上方に開口した固定溝１５が設置され、前記固定溝１５のところに支持フレーム１６を嵌めるように装着することができ、前記支持フレーム１６がボルト１７により前記固定ベース１４と固定的に連結され、前記支持フレーム１６には連結棒２０が固定的に連結され、前記連結棒２０には傘の持ち手を挟んで調節されることができる傘持ち手挟み部品９０４が設置される。
【００１４】
前記挟み部品９０１は前記主板本体１０の中に位置しているスライド溝３０を含み、前記スライド溝３０の底壁には下方に開口した連通溝３１が設置され、前記スライド溝３０の中にはスライドブロック３２がスライドできるように装着され、前記スライドブロック３２の底部端面にはスライドロッド３３が設置され、前記スライドロッド３３の底部端面には第一挟みブロック３４が固定的に装着され、前記第一挟みブロック３４の中には下方に開口した第一挟み溝３５が設置され、前記第一挟み溝３５の左右壁の間には第一ガイドロッド３６が固定的に装着され、前記第一挟み溝３５の中には二つの挟み爪３８がスライドできるように装着され、前記挟み爪３８と前記第一ガイドロッド３６とがスライドできるように装着され、前記挟み爪３８と前記第一挟み溝３５の内壁との間には第一ばね３７が設置され、肩ベルトの間隔により第一挟みブロック３４をスライドさせ、二つの第一挟みブロック３４の間の距離を調節し、挟み爪３８を引き離して肩ベルトを挟み爪３８の間に引っ掛からせ、主板本体１０を放した後に挟み部品９０１により肩ベルトに固定的に装着し、挟み爪３８の表面がゴム材質であり、着心地がよくないことを防止できる。
【００１５】
前記傘持ち手挟み部品９０４は前記連結棒２０の後側端面に位置している第二挟みブロック２１を含み、前記第二挟みブロック２１の中には上方に開口した第二挟み溝２３が設置され、前記第二挟み溝２３の後端には中棒置き区２６が設置され、前記中棒置き区２６の内壁にはゴムリング２５が設置され、前記第二挟み溝２３の前後壁の間には対称である第二ガイドロッド２２が設置され、前記第二ガイドロッド２２の間には傘持ち手挟みブロック２４がスライドできるように装着され、前記傘持ち手挟みブロック２４の後側端面には中心溝２７が設置され、前記傘持ち手挟みブロック２４と前記第二挟み溝２３の前側壁との間には第二ばね２８が設置され、ボルト１７により支持フレーム１６を装着し又は取り外し、傘を装着する時、傘持ち手挟みブロック２４を前に推し、傘の中棒をゴムリング２５から中棒置き区２６の中に推して入らせ、傘持ち手を中心溝２７の中に置き、傘持ち手挟みブロック２４を放した後、第二ばね２８の作用の下で傘持ち手挟みブロック２４と第二挟みブロック２１が傘持ち手を挟み、中棒置き区２６はゴム材質であり、延性がある。
【００１６】
前記扇風機挟み部品９０２は前記主板本体１０の底部端面に位置している調節ロッド１８を含み、前記調節ロッド１８の端部には扇風機取り付けブロック４０が固定的に連結され、前記扇風機取り付けブロック４０の中には扇風機取り付け穴４１が設置され、前記ミニ扇風機４３が前記扇風機取り付け穴４１の中にネジ山により装着されることができ、前記扇風機取り付け穴４１の端壁にはプラグ４２が設置され、前記プラグ４２と前記ミニ扇風機４３とが通電できるように協働されることができ、ミニ扇風機４３を扇風機取り付け穴４１の中に装着し、それによりミニ扇風機４３に電力を提供し、ミニ扇風機４３を取り出して手で持つことができ、ミニ扇風機４３に内蔵された電源を使用し、調節ロッド１８を曲げることができ、一番適合な角度位置に調節することができる。
【００１７】
前記給電部品９０３は前記主板本体１０の頂部端面に固定的に装着されている四つの固定爪１２を含み、前記固定爪１２の間には移動電源１１が引っ掛かっており、前記主板本体１０の頂部端面にはＵＳＢ接続ヘッド１３が設置され、前記ＵＳＢ接続ヘッド１３が前記移動電源１１と連結された後に前記プラグ４２に給電でき、前記移動電源１１もスマホに給電することができ、移動電源１１を固定爪１２の間に置き、移動電源１１がミニ扇風機４３に給電し、固定爪１２はプラスチック材質であり、一定の曲げ性能を有する。
【００１８】
使用する時、肩ベルトの間隔により第一挟みブロック３４をスライドさせ、二つの第一挟みブロック３４の間の距離を調節し、挟み爪３８を引き離して肩ベルトを挟み爪３８の間に引っ掛からせ、主板本体１０を放した後に挟み部品９０１により肩ベルトに固定的に装着し、移動電源１１を固定爪１２の間に置き、移動電源１１がミニ扇風機４３に給電し、ミニ扇風機４３を扇風機取り付け穴４１の中に装着し、それによりミニ扇風機４３に電力を提供し、ミニ扇風機４３を取り出して手で持つことができ、ミニ扇風機４３に内蔵された電源を使用し、調節ロッド１８を曲げることができ、一番適合な角度位置に調節することができる。
【００１９】
傘を装着する時、ボルト１７により支持フレーム１６を装着し、傘持ち手挟みブロック２４を前に推し、傘の中棒をゴムリング２５から中棒置き区２６の中に推して入らせ、傘持ち手を中心溝２７の中に置き、傘持ち手挟みブロック２４を放した後、第二ばね２８の作用の下で傘持ち手挟みブロック２４と第二挟みブロック２１が傘持ち手を挟む。
【００２０】
本発明の有益な効果は：本発明は構成が簡単で、操作が便利であり、ミニ扇風機を扇風機取り付けブロックの中に取り付けることができ、手で持たないで使用することができ、それと同時に傘持ち手挟み部品を利用して傘を挟むことができ、手で持つ必要もなく傘をさすことができ、両者の協力により外出に便利を与え、移動電源がミニ扇風機の稼働時間を増加でき、普及する価値がある。
【００２１】
当業者は明確できるのは、本発明の総体精神及び構想から離脱しない限り、以上の実施例に対して各種の変型を行うことができる。それらの変型はいずれも本発明の保護範囲に含む。本発明の保護方案は発明に添付した特許請求の範囲を基準とするべきである。
【図１】
2020180612.tif 000003
【図２】
2020180612.tif 000004
【図３】
2020180612.tif 000005
【図４】
2020180612.tif 000006
【図５】
2020180612.tif 000007